(57)【要約】【課題】部材点数を少なくして施工時間の短縮を図り得る外装葺板１Ａを提供する。【解決手段】個別外装葺板１０Ａの両側端部には、上側が開口され最側端壁１１ａ・１１ａが垂直に垂下するコの字部１１・１１が形成され、コの字部１１・１１には、斜め下内に向けて折曲された葺板被挟持係止部１２・１２が形成されている。隣接する個別外装葺板１０Ａ・１０Ａは、最側端壁１１ａ・１１ａ同士が互いに突き合わされている。１枚板からなるキャップ２０Ａは、各側端２２・２２に向けて、最側端壁１１ａ・１１ａ同士が互いに突き合わされたコの字部１１・１１の開口１１ｃ・１１ｃを覆う位置まで延びた後、裏側に１８０度折り返され、さらに下方に折曲されて２つの葺板被挟持係止部１２・１２を弾性的に挟持し、かつキャップ２０Ａの上側への移動を阻止するように葺板被挟持係止部１２・１２に係止されるキャップ挟持被係止部２３・２３を備えている。【選択図】図１
2011241648.tif 000002
【特許請求の範囲】
【請求項１】
各側端部同士を互いに対向させて並べて配設した複数の個別外装葺板と、該個別外装葺板の側端部同士間に嵌め込まれたキャップとからなる外装葺板において、
上記個別外装葺板における両方の側端部には、上側が開口されかつ最側端壁が垂直に垂下する上側開口凹部がそれぞれ形成されており、かつ上記上側開口凹部の最側端頂部から該上側開口凹部の内部へ斜め下に向けて折曲された葺板被挟持係止部がそれぞれ形成され、
隣接する上記個別外装葺板は、上側開口凹部の最側端壁同士が互いに突き合わされていると共に、
上記キャップは、１枚の板にて形成され、該板の中央からそれぞれ側端に向けて、上記上側開口凹部の最側端壁同士が互いに突き合わされた個別外装葺板における該上側開口凹部の開口を覆う位置まで少なくとも延びた後、裏側に１８０度折り返され、さらに下方に折曲されて上記２つの葺板被挟持係止部を弾性的に挟持し、かつ該キャップの上側への移動を阻止するように上記葺板被挟持係止部に係止されるキャップ挟持被係止部を備えてなることを特徴とする外装葺板。
【請求項２】
前記個別外装葺板の中央部には、凹部が形成されており、
上記凹部には、ソーラーパネルが敷設されると共に、
前記キャップは、前記板の中央からそれぞれ側端に向けて、前記上側開口凹部の最側端壁同士が互いに突き合わされた個別外装葺板における該上側開口凹部の開口を覆う位置を超えて上記ソーラーパネルの端部まで延びて該ソーラーパネルを係止した後、裏側に１８０度折り返されていることを特徴とする請求項１記載の外装葺板。
【請求項３】
前記隣接する個別外装葺板における両方の側端部の間には、下地に固定されかつ個別外装葺板を支持する吊り子が設けられていると共に、
上記吊り子は、断面逆Ｔ字状に形成され、断面逆Ｔ字の底板部が固定部材にて上記下地に固定されると共に、断面逆Ｔ字の立ち上げ部の頂部には、上記個別外装葺板における上側開口凹部の最側端頂部から該上側開口凹部の内部へ斜め下に向けて折曲された葺板被挟持係止部に沿うように折曲自在に設けられた吊り子係止部を備えていることを特徴とする請求項１又は２記載の外装葺板。
【発明の詳細な説明】
【技術分野】
【０００１】
本発明は、各側端部同士を互いに対向させて並べて配設した複数の個別外装葺板と、該個別外装葺板の側端部同士間に嵌め込まれたキャップとからなる屋根材又は外壁材として使用される外装葺板に関するものである。
【背景技術】
【０００２】
従来、各側端部同士を互いに対向させて並べて配設した複数の個別外装葺板と、該個別外装葺板の側端部同士間に嵌め込まれたキャップとからなる屋根材又は外壁材として使用される外装葺板では、例えば、特許文献１に開示されたものが存在する。
【０００３】
上記特許文献１に開示された縦葺屋根板の接続構造は、図１５に示すように、屋根下地材１０１上に隠し樋１０２を介して隣接配置される屋根板１１０・１１０の端部同士が係止金具１２０にて接続され、屋根板１１０・１１０の端部同士間にキャップ１３０が嵌め込まれるようになっている。
【０００４】
詳細には、野地板１０３上の隠し樋１０２の両側に、係止部１２１と受け片１２２とをそれぞれ有する係止金具１２０・１２０を止め具１０４・１０４にて固定する。係止金具１２０・１２０は隠し樋１０２とは別体にて短尺物に構成されることによって屋根板１１０・１１０同士間の間隔に合わせて任意に調整でき、また、通し吊子に比して小型軽量で屋根上でも容易に取り付けられるものとなっている。
【０００５】
さらに、係止金具１２０の係止部１２１に屋根板１１０の被係止部１１１を係合させ、屋根板１１０・１１０の端部同士間にキャップ１３０を嵌め込む。受け片１２２・１２２の上にはポリスチレンフォームからなるバックアップ材１２４・１２４を載置して野地板１０３との間に断熱空気層１２５・１２５を形成し、結露防止を図っている。
【先行技術文献】
【特許文献】
【０００６】
【特許文献１】特開平１０−１５９２７１号公報（１９９８年６月１６日公開）
【発明の概要】
【発明が解決しようとする課題】
【０００７】
しかしながら、上記従来の外装葺板では、以下の問題点を有している。
【０００８】
すなわち、特許文献１に開示された縦葺屋根板の接続構造では、屋根板１１０・１１０を屋根下地材１０１に固定するために、隠し樋１０２と、２つの係止金具１２０・１２０と、キャップ１３０とを必要としている。
【０００９】
したがって、部材点数が多い。例えば、特許文献１に開示されたキャップ１３０は、屋根板１１０・１１０の端部同士間において凹部となる位置に設けられているので、この凹部への雨水の浸入を容認しており、その結果、隠し樋１０２が必須の部材となっている。また、係止金具１２０・１２０についても、２つの部材からなっている。
【００１０】
この結果、部材点数が多いことにより、現場施工に際して時間がかかるという問題点を有している。
【００１１】
本発明は、上記従来の問題点に鑑みなされたものであって、その目的は、部材点数を少なくして現場での施工時間の短縮を図り得る外装葺板を提供することにある。
【課題を解決するための手段】
【００１２】
本発明の外装葺板は、上記課題を解決するために、各側端部同士を互いに対向させて並べて配設した複数の個別外装葺板と、該個別外装葺板の側端部同士間に嵌め込まれたキャップとからなる外装葺板において、上記個別外装葺板における両方の側端部には、上側が開口されかつ最側端壁が垂直に垂下する上側開口凹部がそれぞれ形成されており、かつ上記上側開口凹部の最側端頂部から該上側開口凹部の内部へ斜め下に向けて折曲された葺板被挟持係止部がそれぞれ形成され、隣接する上記個別外装葺板は、上側開口凹部の最側端壁同士が互いに突き合わされていると共に、上記キャップは、１枚の板にて形成され、該板の中央からそれぞれ側端に向けて、上記上側開口凹部の最側端壁同士が互いに突き合わされた個別外装葺板における該上側開口凹部の開口を覆う位置まで少なくとも延びた後、裏側に１８０度折り返され、さらに下方に折曲されて上記２つの葺板被挟持係止部を弾性的に挟持し、かつ該キャップの上側への移動を阻止するように上記葺板被挟持係止部に係止されるキャップ挟持被係止部を備えてなることを特徴としている。
【００１３】
上記の発明によれば、外装葺板は、個別外装葺板及びキャップのみによって構成されているので、部材点数が非常に少ない。
【００１４】
ここで、本発明の外装葺板における個別外装葺板同士を接続する場合には、隣接する個別外装葺板における上側開口凹部の最側端壁同士を互いに突き合わせる。このとき、上側開口凹部の最側端壁は、いずれも個別外装葺板の表面に対して垂直に垂下しているので、両者を密着して接触させることができる。
【００１５】
次に、キャップを個別外装葺板の側端部同士間に上側から嵌め込む。ここで、キャップを嵌め込むに際して、個別外装葺板における両方の側端部には、上側開口凹部がそれぞれ形成されており、かつ上記上側開口凹部の最側端頂部から該上側開口凹部の内部へ斜め下に向けて折曲された葺板被挟持係止部がそれぞれ形成されている。一方、キャップは、上記２つの葺板被挟持係止部を弾性的に挟持し、かつ該キャップの上側への移動を阻止するように上記葺板被挟持係止部に係止されるキャップ挟持被係止部を備えている。
【００１６】
このため、キャップを下方へ押し下げることによって、キャップ挟持被係止部にて２つの葺板被挟持係止部を弾性的に容易に挟持して嵌め込むことができる。また、キャップの上側への移動を阻止するようにキャップ挟持被係止部が個別外装葺板の葺板被挟持係止部に係止するので、キャップは外れない。
【００１７】
ここで、キャップは、１枚の板にて形成され、該板の中央からそれぞれ側端に向けて、上記上側開口凹部の最側端壁同士が互いに突き合わされた個別外装葺板における該上側開口凹部の開口を覆う位置まで少なくとも延びた後、裏側に１８０度折り返されてなっている。このため、キャップは、個別外装葺板における上側開口凹部の開口を完全に覆っている。したがって、雨水が、上側開口凹部内に侵入することがない。この結果、特許文献１に必要であった隠し樋が不要となる。尚、仮に、雨水が上側開口凹部内に侵入したとしても、侵入量は僅かであり、かつ個別外装葺板の上側開口凹部が樋の役目を果たすので問題はない。
【００１８】
尚、個別外装葺板を支持固定する場合には、例えば、上側開口凹部にて、釘や木ねじ等の固定部材にて固定することができる。上側開口凹部はキャップにて隠されており、かつ雨水も浸入しないので、外観及び防水の点での問題はない。
【００１９】
したがって、部材点数を少なくして現場での施工時間の短縮を図り得る外装葺板を提供することができる。
【００２０】
また、本発明の外装葺板では、前記個別外装葺板の中央部には、凹部が形成されており、上記凹部には、ソーラーパネルが敷設されると共に、前記キャップは、前記板の中央からそれぞれ側端に向けて、前記上側開口凹部の最側端壁同士が互いに突き合わされた個別外装葺板における該上側開口凹部の開口を覆う位置を超えて上記ソーラーパネルの端部まで延びて該ソーラーパネルを係止した後、裏側に１８０度折り返されていることが好ましい。
【００２１】
これにより、本発明の外装葺板にソーラーパネルを取り付けることができる。また、外装葺板へのソーラーパネルの取り付けに際しては、まず、個別外装葺板の中央部に形成された凹部にソーラーパネルを敷設する。ここで、本発明では、キャップは、前記板の中央からそれぞれ側端に向けて、前記上側開口凹部の最側端壁同士が互いに突き合わされた個別外装葺板における該上側開口凹部の開口を覆う位置を超えて上記ソーラーパネルの端部まで延びて該ソーラーパネルを係止した後、裏側に１８０度折り返されている。
【００２２】
したがって、ソーラーパネルは、その端部にてキャップにより係止される。そして、キャップは、ソーラーパネルを係止した後、裏側に１８０度折り返され、さらに、下方に折曲されてキャップ挟持被係止部にて葺板被挟持係止部に係止される。したがって、ソーラーパネルは、個別外装葺板に支持固定されるキャップにて支持固定される。この結果、ソーラーパネルを容易に支持固定することができる。
【００２３】
本発明の外装葺板では、前記隣接する個別外装葺板における両方の側端部の間には、下地に固定されかつ個別外装葺板を支持する吊り子が設けられていると共に、上記吊り子は、断面逆Ｔ字状に形成され、断面逆Ｔ字の底板部が固定部材にて上記下地に固定されると共に、断面逆Ｔ字の立ち上げ部の頂部には、上記個別外装葺板における上側開口凹部の最側端頂部から該上側開口凹部の内部へ斜め下に向けて折曲された葺板被挟持係止部に沿うように折曲自在に設けられた吊り子係止部を備えていることが好ましい。
【００２４】
これにより、吊り子は下地に固定されかつ個別外装葺板を支持するので、吊り子を用いて個別外装葺板を支持固定することができる。
【００２５】
ここで、吊り子にて個別外装葺板を支持固定する場合には、吊り子における断面逆Ｔ字の底板部にて木ねじ等の固定部材を用いて下地に固定する。次いで、吊り子における断面逆Ｔ字の立ち上げ部の両側から該立ち上げ部を挟むようにして、隣接する上記個別外装葺板における上側開口凹部の最側端壁同士を互いに突き合わせる。その後、吊り子における断面逆Ｔ字の立ち上げ部の頂部に形成された吊り子係止部を、個別外装葺板における上側開口凹部の最側端頂部から該上側開口凹部の内部へ斜め下に向けて折曲された葺板被挟持係止部に沿うように折曲する。
【００２６】
したがって、吊り子にて個別外装葺板を支持固定することができる。ここで、吊り子は１つの部材からなっているので、２つの部材からなっているのに比べて部材点数が増加し過ぎることはない。さらに、吊り子での個別外装葺板への支持固定も極めて容易である。
【００２７】
尚、特許文献１においては、係止金具を２つに分けている理由として、屋根板同士間の間隔に合わせて任意に調整可能とするためとしている。しかし、本発明では、個別外装葺板は、上側開口凹部の最側端壁同士が互いに突き合わされているので、個別外装葺板同士間の間隔は一定であり、吊り子を２つの部材とする必要がない。
【発明の効果】
【００２８】
本発明の外装葺板は、以上のように、個別外装葺板における両方の側端部には、上側が開口されかつ最側端壁が垂直に垂下する上側開口凹部がそれぞれ形成されており、かつ上記上側開口凹部の最側端頂部から該上側開口凹部の内部へ斜め下に向けて折曲された葺板被挟持係止部がそれぞれ形成され、隣接する上記個別外装葺板は、上側開口凹部の最側端壁同士が互いに突き合わされていると共に、上記キャップは、１枚の板にて形成され、該板の中央からそれぞれ側端に向けて、上記上側開口凹部の最側端壁同士が互いに突き合わされた個別外装葺板における該上側開口凹部の開口を覆う位置まで少なくとも延びた後、裏側に１８０度折り返され、さらに下方に折曲されて上記２つの葺板被挟持係止部を弾性的に挟持し、かつ該キャップの上側への移動を阻止するように上記葺板被挟持係止部に係止されるキャップ挟持被係止部を備えてなるものである。
【００２９】
それゆえ、部材点数を少なくして施工時間の短縮を図り得る外装葺板を提供するという効果を奏する。
【図面の簡単な説明】
【００３０】
【図１】本発明における外装葺板の実施の一形態を示すものであり、隣接する個別外装葺板の接続部分の構成を示す断面図である。
【図２】上記外装葺板における全体構成を示す斜視図である。
【図３】上記個別外装葺板の構成を示す断面図である。
【図４】上記隣接する個別外装葺板の側端部同士間に嵌め込まれるキャップの構成を示す断面図である。
【図５】上記個別外装葺板における変形例の構成を示す断面図である。
【図６】上記変形例の構成の個別外装葺板を用いた場合の隣接する個別外装葺板の接続部分の構成を示す断面図である。
【図７】上記個別外装葺板における他の変形例の構成を示す断面図である。
【図８】本発明における外装葺板の他の実施の形態を示すものであり、第３凹部にソーラーパネルが敷設された個別外装葺板を示す断面図である。
【図９】上記外装葺板における、隣接する個別外装葺板の接続部分の構成を示す断面図である。
【図１０】本発明における外装葺板のさらに他の実施の形態を示すものであり、実施の形態１に記載の個別外装葺板に適用される吊り子を用いる場合の隣接する個別外装葺板の接続部分の構成を示す断面図である。
【図１１】（ａ）は上記吊り子の構成を示す正面図であり、（ｂ）は上記吊り子の構成を示す側面図である。
【図１２】第３凹部にソーラーパネルが敷設された個別外装葺板の裏面に貼着されたバックアップ材の構成を示す正面図である。
【図１３】実施の形態２に記載の第３凹部にソーラーパネルが敷設された個別外装葺板に適用される吊り子を用いる場合の隣接する個別外装葺板の接続部分の構成を示す断面図である。
【図１４】（ａ）は上記吊り子の構成を示す正面図であり、（ｂ）は上記吊り子の構成を示す側面図である。
【図１５】従来の外装葺板の構成を示すものであり、隣接する個別外装葺板における接続部分の構成を示す断面図である。
【発明を実施するための形態】
【００３１】
〔実施の形態１〕
本発明の一実施形態について図１〜図７に基づいて説明すれば、以下のとおりである。
【００３２】
本実施の形態の外装葺板１Ａは、屋根材又は外壁材に使用できるものであり、図２に示すように、各側端部同士を互いに対向させて並べて配設した複数の個別外装葺板１０Ａ…と、該個別外装葺板１０Ａ…の側端部同士間に嵌め込まれたキャップ２０Ａとからなっている。
【００３３】
上記外装葺板１Ａの個別外装葺板１０Ａは、図３に示すように、１枚のフラットな鋼板にて形成されており、両方の側端部には、上側が開口された上側開口凹部としての例えば断面コの字状となるコの字部１１・１１がそれぞれ形成されている。上記個別外装葺板１０Ａの寸法は、例えば、働き幅が、約４５０ｍｍであり、長さは屋根の長さや外壁の高さに応じて数ｍから数１０ｍまで随時決定することができる。尚、本実施の形態では、上側開口凹部としての例えば断面コの字状となるコの字部１１・１１が設けられているが、本発明においては、必ずしもこれに限らない。すなわち、上側開口凹部は、個別外装葺板１０Ａにおいて上側が開口され、かつ最側端壁１１ａ・１１ａが垂直に垂下する凹部であればよく、例えば逆直角三角形や４分の１円等の形状であってもよい。
【００３４】
上記コの字部１１には、最側端頂部１１ｂから該コの字部１１の内部へ斜め下に向けて折曲された葺板被挟持係止部１２が形成されている。この葺板被挟持係止部１２は、詳細には、コの字部１１の内部へ斜め下に向けて折曲された斜め下折曲部１２ａと、この斜め下折曲部１２ａの先端からＵ字状に裏面側に曲げられたＵ字部１２ｂとからなっている。
【００３５】
次に、キャップ２０Ａは、図４に示すように、１枚の鋼板にて形成され、該鋼板の中央２１からそれぞれ側端２２に向けて延びた後、裏側に１８０度折り返されている。そして、鋼板の中央２１の近くまで戻った後、さらに下方に折曲されて上記コの字部１１・１１の葺板被挟持係止部１２・１２に係止されるキャップ挟持被係止部２３・２３を備えている。
【００３６】
上記のキャップ２０Ａの側端２２は、後述する図１に示すように、コの字部１１・１１の最側端壁１１ａ・１１ａ同士が互いに突き合わされた個別外装葺板１０Ａにおける該コの字の開口１１ｃ・１１ｃを覆う位置まで少なくとも延びた後、裏側に１８０度折り返されたものとなっている。裏側に１８０度折り返された部分には、止水シール材２４・２４が貼着されている。
【００３７】
上記キャップ挟持被係止部２３は、詳細には、図４に示すように、側端２２にて裏側に１８０度折り返されて鋼板の中央２１の近くまで戻った後、さらに下方に折曲された下方垂下部２３ａと、その下方垂下部２３ａの先端から中央２１に向かうＳ字部２３ｂとからなっている。したがって、図１に示すように、キャップ２０Ａを下方へ押し下げることによって、キャップ挟持被係止部２３・２３にて２つの葺板被挟持係止部１２・１２を弾性的に容易に挟持できる。また、キャップ２０Ａの上側への移動を阻止するようにキャップ挟持被係止部２３が個別外装葺板１０Ａ・１０Ａの葺板被挟持係止部１２・１２に係止する。具体的には、キャップ挟持被係止部２３のＳ字部２３ｂが葺板被挟持係止部１２のＵ字部１２ｂにて、キャップ２０Ａの上側への移動を阻止する。この結果。キャップ２０Ａは外れない。尚、キャップ２０Ａのキャップ挟持被係止部２３・２３は、鋼板の弾性力にて２つの葺板被挟持係止部１２・１２を弾性的に挟持しており、かつＵ字部１２ｂ及びＳ字部２３ｂは曲線にて形成されているので、弾性力に抗して無理に外せば、キャップ２０Ａを外すことも可能である。
【００３８】
上記構成の外装葺板１Ａにおける施工方法について、説明する。
【００３９】
まず、外装葺板１における個別外装葺板１０Ａ・１０Ａ同士を接続する場合には、隣接する個別外装葺板１０Ａ・１０Ａにおけるコの字部１１・１１の最側端壁１１ａ・１１ａ同士を互いに突き合わせる。このとき、コの字部１１・１１の最側端壁１１ａ・１１ａは、いずれも個別外装葺板１０Ａの表面に対して垂直に垂下しているので、両者を密着して接触させることができる。
【００４０】
次に、キャップ２０Ａを個別外装葺板１０Ａ・１０Ａの側端部同士間に上側から嵌め込む。ここで、キャップ２０Ａを嵌め込むに際して、個別外装葺板１０Ａにおける両方の側端部には、上側に開口１１ｃ・１１ｃを有する断面コの字状となるコの字部１１・１１がそれぞれ形成されており、かつコの字部１１・１１の最側端頂部１１ｂ・１１ｂから該コの字部１１・１１の内部へ斜め下に向けて折曲された葺板被挟持係止部１２・１２がそれぞれ形成されている。一方、キャップ２０Ａは、下方に折曲されて上記葺板被挟持係止部１２・１２に係止されるキャップ挟持被係止部２３・２３を備えている。
【００４１】
このため、キャップ２０Ａを下方へ押し下げることによって、キャップ挟持被係止部２３・２３にて２つの葺板被挟持係止部１２・１２を弾性的に容易に挟持して嵌め込むことができる。また、キャップ２０Ａの上側への移動を阻止するようにキャップ挟持被係止部２３が個別外装葺板１０Ａ・１０Ａの葺板被挟持係止部１２・１２に係止するので、キャップ２０Ａは外れない。
【００４２】
ここで、本実施の形態では、キャップ２０Ａは、１枚の鋼板にて形成され、該鋼板の中央２１からそれぞれ側端２２・２２に向けて、コの字部１１・１１の最側端壁１１ａ・１１ａ同士が互いに突き合わされた個別外装葺板１０Ａ・１０Ａにおける該コの字部１１・１１の開口１１ｃ・１１ｃを覆う位置まで少なくとも延びた後、裏側に１８０度折り返されてなっている。このため、キャップ２０Ａは、個別外装葺板１０Ａ・１０Ａにおけるコの字部１１・１１の開口１１ｃ・１１ｃを完全に覆っている。したがって、雨水が、コの字部１１・１１内に侵入することがない。この結果、従来必要であった隠し樋が不要となる。仮に、雨水がコの字部１１・１１内に侵入したとしても、侵入量は僅かであり、かつ個別外装葺板１０Ａ・１０Ａのコの字部１１・１１が樋の役目を果たすので問題はない。
【００４３】
尚、個別外装葺板１０Ａ・１０Ａを支持固定する場合には、例えば、コの字部１１・１１にて、図示しない釘や木ねじ等の固定部材にて固定することができる。コの字部１１・１１は、キャップ２０Ａにて隠されており、かつ雨水も浸入しないので、外観及び防水の点での問題はない。
【００４４】
このように、本実施の形態の外装葺板１Ａは、個別外装葺板１０Ａ…及びキャップ２０Ａのみによって構成されているので、部材点数が非常に少ない。
【００４５】
したがって、部材点数を少なくして現場での施工時間の短縮を図り得る外装葺板１Ａを提供することができる。
【００４６】
尚、本発明は、上記の実施の形態に限定されるものではなく、本発明の範囲内で種々の変更が可能である。例えば、上記実施の形態では、個別外装葺板１０Ａは、コの字部１１・１１までフラットに形成されていたが、特にこれに限定するものではなく、図５に示すように、コの字部１１・１１の直前に第１凹部１０ａ・１０ａを形成することが可能である。これにより、図６に示すように、キャップ２０Ａの側端２２を、第１凹部１０ａの内部に納まるようにすることができる。これによって、個別外装葺板１０Ａとキャップ２０Ａとを同一平面上となるようにすることができ、外装葺板１Ａの全面をフラットに形成することが可能である。
【００４７】
また、図７に示すように、個別外装葺板１０Ａの中央に第２凹部１０ｂを形成することが可能である。これにより、個別外装葺板１０Ａの剛性を高めることが可能となる。
【００４８】
〔実施の形態２〕
本発明の他の実施の形態について図８及び図９に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００４９】
本実施の形態の外装葺板１Ｂは、前記実施の形態１における外装葺板１Ａの個別外装葺板１０Ａの構成に加えて、図８に示すように、個別外装葺板１０Ｂには、ソーラーパネル３１が敷設される凹部としての第３凹部１０ｃが形成されている点が異なっている。
【００５０】
すなわち、上記外装葺板１Ｂは、図８に示すように、個別外装葺板１０Ｂの中央部に第３凹部１０ｃが形成されており、第３凹部１０ｃには、ソーラーパネル３１が敷設されるようになっている。
【００５１】
そして、本実施の形態のキャップ２０Ｂは、図９に示すように、板の中央２１からそれぞれ側端２２側端に向けて、コの字部１１・１１の最側端壁１１ａ・１１ａ同士が互いに突き合わされた個別外装葺板１０Ｂ・１０Ｂにおける該コの字の開口１１ｃ・１１ｃを覆う位置を超えてソーラーパネル３１・３１の端部まで延びて該ソーラーパネル３１・３１を係止した後、裏側に１８０度折り返されている。
【００５２】
これにより、本実施の形態の外装葺板１Ｂにソーラーパネル３１を取り付けることができる。
【００５３】
上記構成の外装葺板１Ｂへのソーラーパネル３１の取り付けに際しては、まず、個別外装葺板１０Ｂの中央部に形成された第３凹部１０ｃにソーラーパネル３１を敷設する。ここで、本実施の形態では、キャップ２０Ｂは、板の中央２１からそれぞれ側端２２・２２に向けて、コの字部１１・１１の最側端壁１１ａ・１１ａ同士が互いに突き合わされた個別外装葺板１０Ｂ・１０Ｂにおける該コの字の開口１１ｃ・１１ｃを覆う位置を超えてソーラーパネル３１の端部まで延びて該ソーラーパネル３１・３１を係止した後、裏側に１８０度折り返されている。
【００５４】
したがって、ソーラーパネル３１・３１は、その端部にてキャップ２０Ｂにより係止される。そして、キャップ２０Ｂは、ソーラーパネル３１・３１を係止した後、裏側に１８０度折り返され、さらに、下方に折曲されてキャップ挟持被係止部２３・２３にて葺板被挟持係止部１２・１２に係止される。このため、ソーラーパネル３１・３１は、個別外装葺板１０Ｂ・１０Ｂに支持固定されるキャップ２０Ｂにて支持固定される。この結果、ソーラーパネル３１・３１を容易に支持固定することができる。
【００５５】
〔実施の形態３〕
本発明の他の実施の形態について図１０〜図１４に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００５６】
本実施の形態の外装葺板１Ｃは、前記実施の形態１の外装葺板１Ａ及び実施の形態２の外装葺板１Ｂの構成に加えて、個別外装葺板１０Ａ又は個別外装葺板１０Ｂの下地への支持固定に吊り子を使用している点が異なっている。
【００５７】
最初に、前記実施の形態１に記載の外装葺板１Ａにおいて、吊り子を使用する場合について説明する。
【００５８】
すなわち、本実施の形態の外装葺板１Ｃでは、図１０に示すように、隣接する個別外装葺板１０Ａ・１０Ａにおける両方の側端部の間に、図示しない屋根下地又は外壁下地等の下地に固定されかつ個別外装葺板１０Ａ・１０Ａを支持する吊り子４０Ａを設ける。尚、下地は、例えば、野地板、垂木、鉄骨母屋を含む母屋等である。
【００５９】
上記吊り子４０Ａは、図１１（ａ）（ｂ）に示すように、断面逆Ｔ字状に形成され、底板部４１と立ち上げ部４２Ａとからなっている。上記立ち上げ部４２Ａの頂部には、吊り子係止部４３・４４・４４が折曲自在に設けられている。この吊り子係止部４３・４４・４４は、一枚の板にて形成された立ち上げ部４２Ａの頂部に切込みを入れて３つの折曲自在の舌片を形成し、中央の吊り子係止部４３は、予めＵ字状に折曲し、両端の吊り子係止部４４・４４は、立ち上げ部４２Ａに対して鈍角となるように吊り子係止部４３とは反対側に予め折曲されている。すなわち、これら吊り子係止部４３・４４・４４は、個別外装葺板１０Ａ・１０Ａにおけるコの字部１１・１１の最側端頂部１１ｂ・１１ｂから該コの字部１１・１１の内部へ斜め下に向けて折曲された葺板被挟持係止部１２・１２に沿うように折曲自在に設けられてなっている。
【００６０】
上記構成の吊り子４０Ａを用いて個別外装葺板１０Ａ・１０Ａを支持固定する場合には、図１０に示すように、吊り子４０Ａにおける断面逆Ｔ字の底板部４１にて木ねじ等の固定部材Ｆを用いて図示しない下地に固定する。次いで、吊り子４０Ａにおける断面逆Ｔ字の立ち上げ部４２Ａの両側から該立ち上げ部４２Ａを挟むようにして、隣接する個別外装葺板１０Ａ・１０Ａにおけるコの字部１１・１１の最側端壁１１ａ・１１ａ同士を互いに突き合わせる。その後、吊り子４０Ａにおける断面逆Ｔ字の立ち上げ部４２Ａの頂部に形成された吊り子係止部４３・４４・４４を、個別外装葺板１０Ａ・１０Ａにおけるコの字部１１・１１の最側端頂部１１ｂ・１１ｂから該コの字部１１・１１の内部へ斜め下に向けて折曲された葺板被挟持係止部１２・１２に沿うように折曲する。
【００６１】
これにより、吊り子４０Ａにて個別外装葺板１０Ａ・１０Ａを支持固定することができる。
【００６２】
次に、前記実施の形態２の外装葺板１Ｂにおいて、吊り子を使用する場合について説明する。
【００６３】
すなわち、前記実施の形態２の外装葺板１Ｂにおいては、図１２に示すように、個別外装葺板１０Ｂの第３凹部１０ｃにはソーラーパネル３１が敷設されている。ソーラーパネル３１の下部には、太陽電池セル３１ａが設けられている。この場合、個別外装葺板１０Ｂ・１０Ｂがソーラーパネル３１・３１の重量に耐えるように、個別外装葺板１０Ｂの下側には、バックアップ材３２が一般的に設けられる。このバックアップ材３２は、断熱材としても機能させるために、例えば、耐熱発泡スチロール等の材料からなっており、個別外装葺板１０Ｂの裏面に貼着されている。そして、このバックアップ材３２は、個別外装葺板１０Ｂ・１０Ｂのコの字部１１・１１も支持できるように、上側両端部が階段状に切り欠かれた切り欠き部３２ａ・３２ａを有している。
【００６４】
その結果、図１３に示すように、コの字部１１・１１の下側にもバックアップ材３２が存在しており、バックアップ材３２の下面３２ｂ・３２ｂと個別外装葺板１０Ｂ・１０Ｂのコの字部１１・１１における最側端頂部１１ｂ・１１ｂとの高さが、前記図１０に示す場合と比べて高くなる。
【００６５】
そこで、本実施の形態の外装葺板１Ｃでは、前記図１０に示す吊り子４０Ａにおける立ち上げ部４２Ａよりも高い高さを有する立ち上げ部４２Ｂを備えた吊り子４０Ｂを使用している。
【００６６】
この吊り子４０Ｂは、図１４（ａ）（ｂ）にも示すように、前記図１１（ａ）（ｂ）に示す吊り子４０Ａにおける立ち上げ部４２Ａよりも高い高さを有する立ち上げ部４２Ｂを備えている以外は、吊り子４０Ａと同じ構成である。
【００６７】
上記構成の吊り子４０Ｂを用いて個別外装葺板１０Ｂ・１０Ｂを支持固定する場合には、図１３に示すように、吊り子４０Ｂにおける断面逆Ｔ字の底板部４１にて木ねじ等の固定部材Ｆを用いて図示しない下地に固定する。次いで、吊り子４０Ｂにおける断面逆Ｔ字の立ち上げ部４２Ｂの両側から該立ち上げ部４２Ｂを挟むようにして、隣接する個別外装葺板１０Ｂ・１０Ｂにおけるコの字部１１・１１の最側端壁１１ａ・１１ａ同士、バックアップ材３２・３２同士を互いに突き合わせる。その後、吊り子４０Ｂにおける断面逆Ｔ字の立ち上げ部４２Ｂの頂部に形成された吊り子係止部４３・４４・４４を、個別外装葺板１０Ｂ・１０Ｂにおけるコの字部１１・１１の最側端頂部１１ｂ・１１ｂから該コの字部１１・１１の内部へ斜め下に向けて折曲された葺板被挟持係止部１２・１２に沿うように折曲する。
【００６８】
これにより、吊り子４０Ｂにて個別外装葺板１０Ｂ・１０Ｂを支持固定することができる。
【００６９】
その後、実施の形態１及び実施の形態２にて説明したように、キャップ２０Ａを上側から被せればよい。
【００７０】
このように、本実施の形態の外装葺板１Ｃでは、吊り子４０Ａ又は吊り子４０Ｂを使用して、個別外装葺板１０Ａ又は個別外装葺板１０Ｂを下地に支持固定する。したがって、個別外装葺板１０Ａ又は個別外装葺板１０Ｂに孔を開けないで固定できるので、防水が完全となる。また、吊り子４０Ａ又は吊り子４０Ｂでの個別外装葺板１０Ａ又は個別外装葺板１０Ｂへの支持固定も極めて容易である。さらに、吊り子４０Ａ及び吊り子４０Ｂは、１つの部材からなっているので、２つの部材からなっているのに比べて部材点数が増加し過ぎることはない。尚、特許文献１においては、係止金具を２つに分けている理由として、屋根板同士間の間隔に合わせて任意に調整可能とするためとしている。しかし、本実施の形態では、個別外装葺板１０Ａ又は個別外装葺板１０Ｂは、コの字部１１・１１の最側端壁１１ａ・１１ａ同士が互いに突き合わされているので、個別外装葺板１０Ａ・１０Ａ同士間の間隔又は個別外装葺板１０Ｂ・１０Ｂ同士間の間隔は一定であり、吊り子４０Ａ及び吊り子４０Ｂを２つの部材とする必要がない。
【００７１】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７２】
本発明は、各側端部同士を互いに対向させて並べて配設した複数の個別外装葺板と、該個別外装葺板の側端部同士間に嵌め込まれたキャップとからなる外装葺板に関するものであり、屋根材又は外壁材に利用可能である。また、ソーラーパネルを設けた外装葺板にも利用可能である。
【符号の説明】
【００７３】
１Ａ      外装葺板
１Ｂ      外装葺板
１Ｃ      外装葺板
１０Ａ      個別外装葺板
１０Ｂ      個別外装葺板
１０ａ      第１凹部
１０ｃ      第３凹部（凹部）
１１        コの字部（上側開口凹部）
１１ａ      最側端壁
１１ｂ      最側端頂部
１１ｃ      開口
１２        葺板被挟持係止部
１２ａ      斜め下折曲部
１２ｂ      Ｕ字部
２０Ａ      キャップ
２０Ｂ      キャップ
２１        中央
２２        側端
２３        キャップ挟持被係止部
２３ａ      下方垂下部
２３ｂ      Ｓ字部
２４        止水シール材
３１        ソーラーパネル
３２        バックアップ材
４０Ａ      吊り子
４０Ｂ      吊り子
４１        底板部
４２Ａ      立ち上げ部
４２Ｂ      立ち上げ部
４３・４４  吊り子係止部
Ｆ        固定部材
【図１】
2011241648.tif 000003
【図２】
2011241648.tif 000004
【図３】
2011241648.tif 000005
【図４】
2011241648.tif 000006
【図５】
2011241648.tif 000007
【図６】
2011241648.tif 000008
【図７】
2011241648.tif 000009
【図８】
2011241648.tif 000010
【図９】
2011241648.tif 000011
【図１０】
2011241648.tif 000012
【図１１】
2011241648.tif 000013
【図１２】
2011241648.tif 000014
【図１３】
2011241648.tif 000015
【図１４】
2011241648.tif 000016
【図１５】
2011241648.tif 000017